(57)【要約】【課題】マスクを中空ペンタに貼りつける構成で、組立性が改善され、組立工数が削減でき、コストダウンが可能になり、また、中空ペンタに貼りつけることで中空ペンタへゴミが侵入しにくくなる撮像装置のファインダー構造を提供することである。【解決手段】ファインダーを有する撮像装置であって、主としてフォーカシングスクリーン、中空ペンタ、接眼レンズ群から成り立ち、ベースとなるペンタホルダーに組み付けられ、中空ペンタと接眼レンズ群の間に光学系の有害光を除去するマスクが設けられる前記撮像装置において、マスクが中空ペンタに貼りつけられ、中空ペンタにマスクのための位置決めが設けられていることを特徴とする構成とした。【選択図】  図１（Ａ）
2013142887.tif 000002
【特許請求の範囲】
【請求項１】
ファインダーを有する撮像装置であって、主としてフォーカシングスクリーン１０９、中空ペンタ１０２、接眼レンズ群１０４から成り立ち、ベースとなるペンタホルダー１０１に組み付けられ、中空ペンタ１０２と接眼レンズ群１０４の間に光学系の有害光を除去するマスク１０３が設けられる前記撮像装置において、マスク１０３が中空ペンタ１０２に貼りつけられ、中空ペンタ１０２にマスク１０３のための位置決め１１０が設けられていることを特徴とする撮像装置のファインダー構造。
【請求項２】
前記マスク２０３は中空ペンタ１０２の貼付面２１１よりはみ出している形状が設けられていることを特徴とする請求項１に記載の撮像装置のファインダー構造。
【請求項３】
前記中空ペンタ２０２の斜面２１２にリブ２０６が設けられていることを特徴とする請求項１に記載の撮像装置のファインダー構造。
【請求項４】
前記マスク２０３は両面テープ２０８で中空ペンタ２０２に貼りつけられることを特徴とする請求項１に記載の撮像装置のファインダー構造。
【発明の詳細な説明】
【技術分野】
【０００１】
本発明は撮像装置に関し、特に撮像装置のファインダーの組立性改善に関する。本発明は中空構造のペンタプリズム（以下中空ペンタと称する）とペンタホルダーの間に設けられるマスクの組立性に関するものである。
【背景技術】
【０００２】
従来、撮像装置例えば一眼レフカメラのファインダー光学系は、主としてフォーカシングスクリーン、ペンタプリズム、接眼レンズ群から成り立ち、ベースとなるペンタホルダーに組み付けられる。ファインダー装置において、筐体内に入射した被写体像の光が、フォーカシングスクリーンを通過してペンタプリズムに入射し、ペンタプリズムを介して出射した光が接眼レンズ群に入射することにより、接眼レンズの後方の接眼部に被写体像が導かれる。接眼レンズ群に入射した光が複雑に内部で反射しながら接眼部に導かれるため、実際の被写体像とは異なる像の写りこみが発生する場合がある。写りこみ防止のためにファインダー装置内には光学系の有害光を除去するマスクが設けられる。このマスクは必要に応じて接眼レンズ群の各所に設けられる場合がある。
【０００３】
従来は中空ペンタと接眼レンズ群の間にマスクが設けられ、マスクはペンタホルダーに位置決め、貼付けられた後、中空ペンタが組み立てられる。また、中空ペンタとマスクの間に隙間ができ、中空ペンタ内にゴミが侵入する可能性があった。
【０００４】
さらに、図４に従来例としてのデジタル一眼レフカメラのファインダー光学系の図を示す。図４（Ａ）は斜め後方側から見た図、図４（Ｂ）は斜め前方から見た図である。本図および以下の説明において、後述の実施例の図１および図４と同一の要素には末尾同一の符号を用いるものとする。図４（Ａ）において、中空ペンタ４０２と接眼レンズ群４０４の間に光学系の有害光を除去するマスク４０３が設けられ、マスクはペンタホルダー４０１に位置決め、貼付けられた後、中空ペンタ４０２が組み立てられる。
【０００５】
特許文献1ではボディマウントの開口からの焦点板上に付着するゴミの侵入を防止するシートについて言及されている。焦点板の板厚方向に撓み変形可能な可撓性シートであることを特徴とし、ゴミの侵入を防止する目的のみのシートに限定される。
【先行技術文献】
【特許文献】
【０００６】
【特許文献１】特開２００９−２８８５３８号公報
【発明の概要】
【発明が解決しようとする課題】
【０００７】
図４の従来例では複雑な形状のペンタホルダー４０１にマスク４０３を貼りつけるため、位置決めに合わせてマスク４０３を貼りつけにくく、組立性に問題があった。ペンタホルダー４０１は複雑な形状をしており、マスク４０３を貼りつけにくいために、組立工数アップやそれによるコストアップなどの問題があった。また、中空ペンタ４０２とマスク４０３の間に隙間ができ、中空ペンタ４０２内にゴミが侵入する可能性があった。
【０００８】
本発明の目的はマスクを中空ペンタに貼りつける構成で、組立性が改善され、組立工数が削減でき、コストダウンが可能になり、中空ペンタに貼りつけることで中空ペンタへゴミが侵入しにくくなる撮像装置のファインダー構造を提供することである。
【課題を解決するための手段】
【０００９】
上記目的を達成するために、本発明は、ファインダーを有する撮像装置であって、主としてフォーカシングスクリーン、中空構造のペンタプリズム、接眼レンズ群から成り立ち、ベースとなるペンタホルダーに組み付けられ、中空構造のペンタプリズムと接眼レンズ群の間に光学系の有害光を除去するマスクが設けられる前記撮像装置において、マスクが中空構造のペンタプリズムに貼りつけられ、中空構造のペンタプリズムにマスクのための位置決めが設けられていることを特徴とする。
【発明の効果】
【００１０】
本発明によれば撮像装置のファインダーの組立性改善が可能になる。また、中空ペンタにマスクを貼りつけることにより、ゴミが侵入しにくくなる。
【図面の簡単な説明】
【００１１】
【図１（Ａ）】本発明を適用した実施例１のデジタル一眼レフカメラの要部説明図（その１）
【図１（Ｂ）】本発明を適用した実施例１のデジタル一眼レフカメラの要部説明図（その２）
【図１（Ｃ）】本発明を適用した実施例１のデジタル一眼レフカメラの要部説明図（その３）
【図２（Ａ）】本発明を適用した実施例２のデジタル一眼レフカメラの要部説明図（その１）
【図２（Ｂ）】本発明を適用した実施例２のデジタル一眼レフカメラの要部説明図（その２）
【図２（Ｃ）】本発明を適用した実施例２のデジタル一眼レフカメラの要部説明図（その３）
【図２（Ｄ）】本発明を適用した実施例１のデジタル一眼レフカメラの要部説明図（その４）
【図２（Ｅ）】本発明を適用した実施例１のデジタル一眼レフカメラの要部説明図（その５）
【図３】本発明を適用したデジタル一眼レフカメラの外観図
【図４（Ａ）】従来例のデジタル一眼レフカメラの要部説明図（その１）
【図４（Ｂ）】従来例のデジタル一眼レフカメラの要部説明図（その２）
【発明を実施するための形態】
【００１２】
以下に、本発明の好ましい実施の形態を、添付の図面に基づいて詳細に説明する。図３は本発明を適用した電子機器としてのデジタル一眼レフカメラの外観図である。３０１はカメラ本体、３０２はファインダーユニットである。ファインダーユニット３０２は実際には外装部材で覆われて外からは観察できないが、本図においては説明のために外装部材を不図示としてある。
【００１３】
［実施例１］
以下、図１を参照して、本発明の第１の実施例による、撮像装置のファインダー装置について説明する。図１（Ａ）（Ｂ）は本発明の要部を説明する図であり、ファインダーユニットをそれぞれ斜め後方側、斜め前方側から見た図である。
【００１４】
ファインダー装置はペンタホルダー１０１がベースとなり、接眼レンズ群１０４が組みつけられた後、中空ペンタ１０２、マスク１０３が組みつけられる。マスク１０３は接眼レンズ群１０４と中空ペンタ１０２の間に設置され、光学系の有害光を除去する。中空ペンタ１０２は固定部材１０５と締結部材１０７で共に締結され、ペンタホルダー１０１に固定される。
【００１５】
本発明の特徴的な部分についてさらに説明する。
【００１６】
マスク１０３は、先述の従来例としての図４に示したように、従来はペンタホルダー４０１に貼りつけられていたため、フォーカシングスクリーン１０９をとりつけるためのペンタホルダー４０１のベースが邪魔となり、作業性が悪かった。また、ペンタホルダー４０１に設けられた位置決めに合わせて貼る必要があるため、組立工数が多くかかってしまっていた。また、ペンタホルダー４０１側に貼りつけるために、マスク１０３と中空ペンタ１０２の間に隙間ができ、中空ペンタ１０２内にゴミが入りこむ可能性があった。中空ペンタ内にゴミが入るとフォーカシングスクリーン１０９上にゴミが付着してしまい、撮影者の視界の妨げとなってしまう可能性があった。
【００１７】
本発明の最も特徴的なところは、図１のごとく、マスク１０３が中空ペンタ１０２に貼りつけられる構成である。中空ペンタ１０２に位置決め１１０が設けられ、マスク１０３が中空ペンタ１０２の貼付面１１１に両面テープ１０８で貼りつけられる。マスク１０３を貼りつける際に障害となる部材がないため、中空ペンタへの位置決めも容易に行うことが可能となる。また同様の理由で簡単に貼りつけることができる。さらに、中空ペンタ１０２とマスク１０３の間に隙間がなくなるため、中空ペンタにゴミが入りにくくなる。ペンタホルダー１０１とマスク１０３の間から入り込んだゴミは、ペンタホルダー１０１に留まり、フォーカシングスクリーン１０９に付着する可能性が低くなる。図１では中空ペンタの位置決めの形状を円柱状のボスで図示しているが、位置決めは必ずしもこの形状とは限らない。
【００１８】
本実施例１では、従来例でペンタホルダーに貼りつけていたマスクを中空ペンタに貼りつけている。貼付けが容易になるため、組立性が改善され、組立工数が削減でき、コストダウンが可能になる。また、中空ペンタに貼りつけることで中空ペンタへゴミが侵入しにくくなる効果がある。
【００１９】
［実施例２］
以下、図２を参照して、本発明の第２の実施例による、撮像装置のファインダー装置について説明する。図２（Ａ）（Ｂ）（Ｃ）は本発明の要部を説明する図であり、ファインダーユニットをそれぞれ斜め後方側、斜め前方側から見た図である。ペンタホルダー、中空ペンタ、マスク、接眼レンズ群、固定部材については実施例１と同一構成であり、詳細説明は省略する。
【００２０】
本発明の特徴的な部分について説明する。
【００２１】
マスク２０３は、先述の従来例としての図４に示したように、従来はペンタホルダー４０１に貼りつけられていたため、マスク２０３と中空ペンタ２０２の間に隙間ができ、中空ペンタ２０２内にゴミが入りこむ可能性があった。中空ペンタ２０２内にゴミが入るとフォーカシングスクリーン２０９上にゴミが付着してしまい、撮影者の視界の妨げとなってしまう可能性があった。
【００２２】
本発明の最も特徴的なところは、図２のごとく、実施例１の構成に加えて、マスク２０３を中空ペンタ２０２の貼付面２１１よりもはみ出す大きさ２１３となっていることである。また、中空ペンタ２０２の斜面２１２にリブ２０６を設ける構成である。ファインダー装置前方からのゴミは、まず中空ペンタ２０２に設けられたリブ２０６が障壁となり、ゴミが後方に移動２１４するのを防止する。リブ２０６を乗り越えてきたゴミは次にマスク２０３が障壁となり、ゴミの移動２１５を防止する。前方から移動してきたマスク２０３とペンタホルダー２０１の隙間から入り込む可能性のあるゴミを２つの障壁で防ぐことが可能となり、光路内を移動して、ペンタホルダー２０１から中空ペンタ２０２へ入り込むゴミを防止することができる。
【００２３】
本実施例２では、実施例１に加え、マスク２０３を中空ペンタ２０２よりも大きくし、中空ペンタ２０２にリブ２０６を設けることで実施例１よりもさらに中空ペンタ２０２へゴミが侵入しにくくなる効果がある。
【００２４】
以上、本発明の好ましい実施形態について説明したが、本発明はこれらの実施形態に限定されず、その要旨の範囲内で種々の変形及び変更が可能である。
【符号の説明】
【００２５】
１０１：ペンタホルダー
１０２：中空ペンタ
１０３：マスク
１０４：接眼レンズ群
１０８：両面テープ
１０９：フォーカシングスクリーン
１１０：位置決め
１１１：貼付面
２０６：リブ
２１１：貼付面
２１２：中空ペンタ斜面
２１３：はみ出し部
２１４：ゴミの移動経路
２１５：ゴミの移動経路
３０１：カメラ本体
３０２：ファインダーユニット
【図１（Ａ）】
2013142887.tif 000003
【図１（Ｂ）】
2013142887.tif 000004
【図１（Ｃ）】
2013142887.tif 000005
【図２（Ａ）】
2013142887.tif 000006
【図２（Ｂ）】
2013142887.tif 000007
【図２（Ｃ）】
2013142887.tif 000008
【図２（Ｄ）】
2013142887.tif 000009
【図２（Ｅ）】
2013142887.tif 000010
【図３】
2013142887.tif 000011
【図４（Ａ）】
2013142887.tif 000012
【図４（Ｂ）】
2013142887.tif 000013